(57)【要約】【課題】印刷用紙を部分切断する用紙切断装置において、印刷用紙に抵抗力を付加することなく、印刷用紙に引張力を加えたときに切り残し部分を迅速に断裂させる。【解決手段】用紙切断装置１０は、長手方向に連続する印刷用紙を、互いに協働して横断方向に部分切断する第１刃部１２及び第２刃部１４を備える。第１刃部１２は、互いに離間して配置される一対の第１切刃１６を有する。また、第２刃部１４は、互いに離間して配置される一対の第２切刃１８を有する。第１刃部１２の一対の第１切刃１６のそれぞれと、第２刃部１４の一対の第２切刃１８のそれぞれとは、個別に協働して、印刷用紙を部分切断する。このとき、印刷用紙の切断箇所には、印刷用紙の長手方向へ互いにずれて配置される一対の切断縁と、それら切断縁の互いに近接する端部の間に介在する切り残し部分とが形成される。【選択図】図２
2008246649.tif 000002
【特許請求の範囲】
【請求項１】
長手方向に連続する印刷用紙を互いに協働して部分切断する第１刃部及び第２刃部を具備する用紙切断装置において、
前記第１刃部は、互いに離間して配置される一対の第１切刃を有し、
前記第２刃部は、互いに離間して配置される一対の第２切刃を有し、
前記一対の第１切刃のそれぞれと前記一対の第２切刃のそれぞれとが個別に協働して、印刷用紙の切断箇所に、該印刷用紙の長手方向へ互いにずれて配置される一対の切断縁と、それら切断縁の間に介在する切り残し部分とを形成すること、
を特徴とする用紙切断装置。
【請求項２】
前記一対の第１切刃の各々が直線刃であり、それら第１切刃が互いに平行にずれて配置され、前記一対の第２切刃の各々が直線刃であり、それら第２切刃が互いに平行にずれて配置される、請求項１に記載の用紙切断装置。
【請求項３】
前記一対の第１切刃が、該第１切刃の延長方向に直交する方向に見て、互いに部分的に重畳する位置に配置される、請求項２に記載の用紙切断装置。
【請求項４】
前記第１刃部は、前記一対の第１切刃を有する１つの固定刃を備え、前記第２刃部は、前記一対の第２切刃をそれぞれに有する一対の可動刃を備える、請求項１〜３のいずれか１項に記載の用紙切断装置。
【請求項５】
前記第１刃部は、前記一対の第１切刃をそれぞれに有する一対の固定刃を備え、前記第２刃部は、前記一対の第２切刃をそれぞれに有する一対の可動刃を備える、請求項１〜３のいずれか１項に記載の用紙切断装置。
【発明の詳細な説明】
【技術分野】
【０００１】
本発明は、長手方向に連続する印刷用紙を部分切断する用紙切断装置に関する。
【背景技術】
【０００２】
長手方向に連続する印刷用紙を互いに協働して横断方向に切断する第１刃部及び第２刃部を備えた用紙切断装置において、第１刃部と第２刃部とが、印刷用紙の切断箇所に切り残し部分を形成（すなわち部分切断）できるように構成されたものが知られている。この種の用紙切断装置は、例えばキャッシュレジスター、携帯型端末装置等の併設プリンタに装備されており、連続送給される印刷用紙に対し印刷部で印刷を行なった後に、印刷用紙の印刷済部分を未印刷部分から自動的に分断するように動作する。この構成では、部分切断された印刷用紙に対し、印刷済部分に意図的に引張力を加えると、切り残し部分が応力集中により断裂して、印刷済部分が未印刷部分から切り離される。
【０００３】
従来の用紙切断装置は、例えば、印刷用紙の紙面に対し平行に延びる水平切刃を有する固定式の第１刃部（一般に固定刃と称する）と、印刷用紙の紙面に対し斜めに交差する方向へ延びる斜交切刃を有する移動式の第２刃部（一般に可動刃と称する）とを備える。この刃部構成で部分切断を実行するためには、例えば特許文献１に記載されるように、全体として一方向へ傾斜するギロチン刃形状の斜交切刃を有する第２刃部を用いるとともに、第１刃部の水平切刃の一側端を印刷用紙の一方の側縁よりも内側に配置する。それにより、印刷用紙の一側縁に隣接して、切り残し部分を形成することができる。或いは、特許文献２に記載されるように、互いに交差する二方向へ傾斜するＶ字刃形状の斜交切刃を有する第２刃部を用いるとともに、第１刃部に対する第２刃部の切断ストロークを適当に調整して第２刃部の動作を制御する。それにより、印刷用紙の横断方向中間位置に、切り残し部分を形成することができる。
【０００４】
従来の用紙切断装置における上記した部分切断手法では、特許文献１及び２のいずれの構成においても、第１刃部の水平切刃と第２刃部の斜交切刃との協働により、印刷用紙に（１つ又は一対の）切断縁が一直線上に形成されるとともに、切断縁の延長方向に隣接して切り残し部分が形成される。したがって、部分切断された印刷用紙の、切断箇所を挟んだいずれか一方の領域に、他方の領域から切り離すべく意図的に引張力を加えるときに、用紙長手方向に斜交する方向へ引張力を加えれば、切り残し部分を迅速に断裂させることができるものの、用紙長手方向に平行な方向へ引張力を加えたときには、切り残し部分に応力が効果的に集中せず、切り残し部分が迅速に断裂しない場合がある。意図的な引張力により切り残し部分が迅速に断裂しなければ、未印刷の印刷用紙が強制的に引き出されたり、印刷用紙の位置が適正位置からずれたりする問題を生じる危惧がある。
【０００５】
このような問題に対処するためには、印刷用紙の一方の領域に引張力を加えるときに、印刷用紙の他方の領域に抵抗力を付加することが有効である。例えば特許文献１に記載の構成では、印刷用紙の通路に、印刷用紙の未印刷部分に抵抗力を付加するための突起構造を設けている。或いは、プリンタの用紙送り機構の駆動部を、所定の印刷が完了して印刷用紙を送り出した後に強制的に停止保持するように制御することで、印刷用紙の未印刷部分に所要の抵抗力を付加することもできる。
【０００６】
【特許文献１】特開２００３−２６０６９０号公報
【特許文献２】特開２００３−１２７４８３号公報
【発明の開示】
【発明が解決しようとする課題】
【０００７】
上記したように、従来の用紙切断装置における部分切断手法では、印刷用紙に引張力を加えたときに、切り残し部分が迅速に断裂しない場合がある。また、この問題に対処するべく、印刷用紙の未印刷部分に抵抗力を付加する構成では、用紙通路に抵抗付加構造を形成したり、プリンタの用紙送り駆動部に特別な制御を実行したりする必要が有り、用紙切断装置の製造コストやプリンタの消費電力の増加を招くことが懸念される。
【０００８】
本発明の目的は、長手方向に連続する印刷用紙を部分切断する用紙切断装置において、印刷用紙の未印刷部分に抵抗力を付加することなく、印刷用紙に引張力を加えたときに切り残し部分を迅速に断裂させることができる用紙切断装置を提供することにある。
【課題を解決するための手段】
【０００９】
上記目的を達成するために、請求項１に記載の発明は、長手方向に連続する印刷用紙を互いに協働して部分切断する第１刃部及び第２刃部を具備する用紙切断装置において、第１刃部は、互いに離間して配置される一対の第１切刃を有し、第２刃部は、互いに離間して配置される一対の第２切刃を有し、一対の第１切刃のそれぞれと一対の第２切刃のそれぞれとが個別に協働して、印刷用紙の切断箇所に、印刷用紙の長手方向へ互いにずれて配置される一対の切断縁と、それら切断縁の間に介在する切り残し部分とを形成すること、を特徴とする用紙切断装置を提供する。
【００１０】
請求項２に記載の発明は、請求項１に記載の用紙切断装置において、一対の第１切刃の各々が直線刃であり、それら第１切刃が互いに平行にずれて配置され、一対の第２切刃の各々が直線刃であり、それら第２切刃が互いに平行にずれて配置される、用紙切断装置を提供する。
【００１１】
請求項３に記載の発明は、請求項２に記載の用紙切断装置において、一対の第１切刃が、第１切刃の延長方向に直交する方向に見て、互いに部分的に重畳する位置に配置される、用紙切断装置を提供する。
【００１２】
請求項４に記載の発明は、請求項１〜３のいずれか１項に記載の用紙切断装置において、第１刃部は、一対の第１切刃を有する１つの固定刃を備え、第２刃部は、一対の第２切刃をそれぞれに有する一対の可動刃を備える、用紙切断装置を提供する。
【００１３】
請求項５に記載の発明は、請求項１〜３のいずれか１項に記載の用紙切断装置において、第１刃部は、一対の第１切刃をそれぞれに有する一対の固定刃を備え、第２刃部は、一対の第２切刃をそれぞれに有する一対の可動刃を備える、用紙切断装置を提供する。
【発明の効果】
【００１４】
請求項１に記載の発明によれば、第１刃部の一対の第１切刃と第２刃部の一対の第２切刃との協働により、印刷用紙に、一直線上に整列しない一対の切断縁の延長方向から用紙長手方向へずれた位置に、切り残し部分が形成されるので、部分切断された印刷用紙の、切断箇所を挟んだいずれか一方の領域に、他方の領域から切り離すべく意図的に引張力を加えたときに、引張力の方向によらず、両切断縁の間に応力が容易かつ効果的に集中して、切り残し部分を迅速に断裂させることができる。したがって、印刷用紙の未印刷部分に抵抗力を付加する構成を採用することなく、印刷用紙に引張力を加えたときに切り残し部分を迅速に断裂させることができ、以って、用紙切断装置の製造コストやプリンタの消費電力の増加を効果的に防止できる。
【００１５】
請求項２に記載の発明によれば、第１刃部及び第２刃部の構造を簡略化できる。また、印刷用紙の切断箇所に、印刷用紙の長手方向へ互いに平行にずれて配置される一対の直線状の切断縁が形成されるので、部分切断後に印刷用紙を切断箇所で意図的に切り離したときに、切り残し部分の断裂箇所を目立たなくすることができる。
【００１６】
請求項３に記載の発明によれば、印刷用紙の長手方向へ互いに平行にずれて形成される一対の直線状の切断縁の、互いに近接する端部が、用紙長手方向に見て相手方切断縁に重畳する位置に配置されるので、部分切断後に印刷用紙を切断箇所で意図的に切り離すときに、切り残し部分への応力集中作用が向上し、切り残し部分を一層迅速に断裂させることができる。
【００１７】
請求項４に記載の発明によれば、固定刃の構造を簡略化でき、また、固定刃の両第１切刃に対し、一対の可動刃の第２切刃の摺動角度を容易に最適化できる。
【００１８】
請求項５に記載の発明によれば、適当な刃部調整機構を備えることにより、一対の固定刃の位置を調整可能とし、それに対応して、一対の可動刃の位置を調整可能とすることができるので、印刷用紙の材質等に応じて、固定刃及び可動刃の位置を適宜調整することにより、印刷用紙の切断箇所の部分切断形態を、容易に最適化することができる。また、固定刃の第１切刃同士及び可動刃の第２切刃同士の位置ずれを排除することで、印刷用紙の切断箇所を部分切断ではなく完全に切断することもできる。
【発明を実施するための最良の形態】
【００１９】
以下、添付図面を参照して、本発明の実施の形態を詳細に説明する。全図面に渡り、対応する構成要素には共通の参照符号を付す。
図面を参照すると、図１は、本発明の第１の実施形態による用紙切断装置１０の刃部構造を概略で示す正面図であり、図２は、用紙切断装置１０の刃部構造を概略で示す斜視図である。また、図３は、用紙切断装置１０の刃部構造の幾つかの例を模式図的に示す図で、図４は、それら刃部構造によって印刷用紙に形成された切断箇所を示す図である。図示実施形態による用紙切断装置１０は、キャッシュレジスターや携帯型端末装置（例えば電子手帳、携帯情報端末（ＰＤＡ）、携帯電話）等に併設可能なプリンタ（例えばサーマルプリンタ）に装備できる。
【００２０】
用紙切断装置１０は、長手方向（図示矢印Ｌ方向）に連続する印刷用紙（例えばロール紙）Ｐを、互いに協働して横断方向（図示矢印Ｗ方向）へ部分切断する第１刃部１２及び第２刃部１４を備える。用紙切断装置１０をプリンタに装備したときには、印刷用紙Ｐは、印刷の進行に伴い長手方向Ｌに送られて、印刷終了後、その送り方向に略直交する横断方向Ｗへ切断される。
【００２１】
第１刃部１２は、互いに離間して配置される一対の第１切刃１６を有する。また、第２刃部１４は、互いに離間して配置される一対の第２切刃１８を有する。第１刃部１２の一対の第１切刃１６のそれぞれと、第２刃部１４の一対の第２切刃１８のそれぞれとは、個別に協働して、印刷用紙Ｐを部分切断する。このとき、印刷用紙Ｐの切断箇所には、印刷用紙Ｐの長手方向Ｌへ互いにずれて配置される一対の切断縁Ｃと、それら切断縁Ｃの互いに近接する端部Ｃｅの間に介在する切り残し部分Ｊとが形成される（例えば図４（ａ）参照）。
【００２２】
上記構成を有する用紙切断装置１０においては、第１刃部１２の一対の第１切刃１６と第２刃部１４の一対の第２切刃１８との協働により、印刷用紙Ｐに、一直線上に整列しない一対の切断縁Ｅの延長方向から用紙長手方向Ｌへずれた位置に、切り残し部分Ｊが形成される。その結果、部分切断された印刷用紙Ｐの、切断箇所を挟んだいずれか一方の領域に、他方の領域から切り離すべく意図的に引張力を加えたときに、引張力の方向（一般に用紙長手方向Ｌに斜交又は平行する方向）によらず、両切断縁Ｃの近接端部Ｃｅの間に応力が容易かつ効果的に集中して、切り残し部分Ｊを迅速に断裂させることができる。したがって、用紙切断装置１０によれば、印刷用紙Ｐの未印刷部分に抵抗力を付加する構成を採用することなく、印刷用紙Ｐに引張力を加えたときに切り残し部分Ｊを迅速に断裂させることができ、以って、用紙切断装置１０の製造コストやプリンタの消費電力の増加を効果的に防止できる。
【００２３】
図示実施形態による用紙切断装置１０では、第１刃部１２を、印刷用紙Ｐの紙面に対し平行に延びる水平切刃を有する固定刃として構成する一方、第２刃部１４を、印刷用紙Ｐの紙面に対し斜めに交差する方向へ延びるＶ字切刃を有する可動刃として構成することができる。そして、第１刃部１２と第２刃部１４とは、それらの水平切刃とＶ字切刃との協働剪断作用により、印刷用紙Ｐをその両側縁Ｐｅから中心に向かって、用紙横断方向Ｗへ切断する。
【００２４】
上記した刃部構成においては、図２に示すように、第１刃部１２は、各々が水平切刃である一対の第１切刃１６を有する１つの固定刃２０を備え、第２刃部１４は、各々が斜交切刃である一対の第２切刃１８をそれぞれに有する一対の可動刃２２を備えることができる。一対の可動刃２２は、両者の第２切刃１８が協働してＶ字切刃を構成するように組み合わされ、図示しない適当な駆動機構により互いに同期して駆動されて、固定刃２０に対し切断動作する。この構成によれば、固定刃２０の構造を簡略化でき、また、固定刃２０の両第１切刃１６に対し、一対の可動刃２２の第２切刃１８の摺動角度を容易に最適化できる。
【００２５】
上記した刃部構成においては、図３（ａ）に示すように、第１刃部１２（固定刃２０）の一対の第１切刃１６の各々が直線刃であって、それら第１切刃１６が互いに平行にずれて配置され、それに対応して、第２刃部１４（一対の可動刃２２）の一対の第２切刃１８の各々が直線刃であって、それら第２切刃１８が互いに平行にずれて配置されるように構成することが好ましい。この場合、第１刃部１２の両第１切刃１６の間に、両者に交差（図３（ａ）では直交）する縁部分２４が形成される。縁部分２４は切断機能を有さないが、各第２切刃１８を対応の第１切刃１６よりも長く形成して、一方の第２切刃１８が縁部分２４に衝突したときに第２刃部１４の切断動作を停止するように構成することで、印刷用紙Ｐの切断箇所に所定の切り残し部分Ｊを再現性良く形成することができる。
【００２６】
図３（ａ）に示す刃部構成によれば、第１刃部１２及び第２刃部１４の構造を簡略化できる。また、この刃部構成によれば、図４（ａ）に示すように、印刷用紙Ｐの切断箇所に、印刷用紙Ｐの長手方向Ｌへ互いに平行にずれて配置される一対の直線状の切断縁Ｃが形成される。それら切断縁Ｃの互いに近接する端部Ｃｅは、印刷用紙Ｐの長手方向Ｌへ整列して配置されるので、部分切断後に印刷用紙Ｐを切断箇所で意図的に切り離したときに、切り残し部分Ｊの断裂箇所を目立たなくすることができる。
【００２７】
上記刃部構成においては、図３（ｂ）に示すように、第１刃部１２（固定刃２０）の一対の第１切刃１６が、各第１切刃１６の延長方向に直交する方向に見て、互いに部分的に重畳する位置に配置されるように構成することもできる。このとき、第２刃部１４（一対の可動刃２２）の一対の第２切刃１８も、各第２切刃１８の延長方向に直交する方向に見て、互いに部分的に重畳する位置に配置される。この場合、第１刃部１２の両第１切刃１６の間に、両者に鋭角に交差する縁部分２４が形成される。
【００２８】
図３（ｂ）に示す刃部構成によれば、図４（ｂ）に示すように、印刷用紙Ｐの長手方向Ｌへ互いに平行にずれて形成される一対の直線状の切断縁Ｃの、互いに近接する端部Ｃｅが、用紙長手方向Ｌに見て相手方切断縁Ｃに重畳する位置に配置されるので、部分切断後に印刷用紙Ｐを切断箇所で意図的に切り離すときに、切り残し部分Ｊへの応力集中作用が向上し、切り残し部分Ｊを一層迅速に断裂させることができる。
【００２９】
この場合、図３（ｃ）に示すように、第１刃部１２（固定刃２０）の一対の第１切刃１６及び第２刃部１４（一対の可動刃２２）の一対の第２切刃１８の各々を、用紙長手方向（図４）に対して僅かに傾斜させて配置することもできる。この刃部構成によれば、図４（ｃ）に示すように、図４（ｂ）の用紙切断箇所と同様に切り残し部分Ｊへの応力集中を向上させつつ、図４（ａ）の用紙切断箇所と同様に切り残し部分Ｊの断裂箇所を目立たなくすることができる。
【００３０】
図５は、本発明の第２の実施形態による用紙切断装置の刃部構造を、模式図的に示す。この実施形態では、第１刃部１２は、各々が水平切刃である一対の第１切刃１６をそれぞれに有する一対の固定刃２０を備え、第２刃部１４は、各々が斜交切刃である一対の第２切刃１８をそれぞれに有する一対の可動刃２２を備える。一対の可動刃２２は、両者の第２切刃１８が協働してＶ字切刃を構成するように組み合わされ、図示しない適当な駆動機構により互いに同期して駆動されて、対応の固定刃２０に対し切断動作する。
【００３１】
上記構成では、図示しない適当な刃部調整機構を備えることにより、一対の固定刃２０の位置を、用紙長手方向Ｌ１及び用紙横断方向Ｗ１の少なくとも一方に調整可能とし、それに対応して、一対の可動刃２２の位置を、用紙長手方向Ｌ２及び用紙横断方向Ｗ２の少なくとも一方に調整可能とすることができる。このような構成によれば、印刷用紙Ｐの材質等に応じて、固定刃２０及び可動刃２２の位置を適宜調整することにより、印刷用紙Ｐの切断箇所の部分切断形態（特に切り残し部分Ｊの形状や寸法）を、容易に最適化することができる。また、固定刃２０の第１切刃１６同士及び可動刃２２の第２切刃１８同士の位置ずれを排除することで、印刷用紙Ｐの切断箇所を部分切断ではなく完全に切断することもできる。
【００３２】
以上、本発明の好適な実施形態を説明したが、本発明は、図示実施形態に限定されず、様々な修正を施すことができる。例えば、第１刃部１２（固定刃２０）と第２刃部１４（可動刃２２）との間に、第２刃部１４を円滑かつ正確に案内して切断動作させるガイドを設けることができる。また、第１刃部１２の第１切刃１６を、平面視（図３）で曲線状に延びる湾曲刃とし、これに対応して、第２刃部１４の第２切刃１８を同様の湾曲刃とすることもできる。
【図面の簡単な説明】
【００３３】
【図１】本発明の第１の実施形態による用紙切断装置の刃部構造を概略で示す正面図である。
【図２】図１の用紙切断装置の刃部構造を概略で示す斜視図である。
【図３】図１の用紙切断装置１０の刃部構造の幾つかの例（ａ）〜（ｃ）を模式図的に示す図である。
【図４】図３の刃部構造によって印刷用紙に形成された切断箇所の例（ａ）〜（ｃ）を示す図である。
【図５】本発明の第２の実施形態による用紙切断装置の刃部構造を模式図的に示す図である。
【符号の説明】
【００３４】
１０    用紙切断装置
１２    第１刃部
１４    第２刃部
１６    第１切刃
１８    第２切刃
２０    固定刃
２２    可動刃
Ｃ    切断縁
Ｊ    切り残し部分
Ｐ    印刷用紙
【図１】
2008246649.tif 000003
【図２】
2008246649.tif 000004
【図３】
2008246649.tif 000005
【図４】
2008246649.tif 000006
【図５】
2008246649.tif 000007